【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
電源から電力の供給を受けるための第１のコネクタと、
他の情報処理装置から電力の供給を受けるとともに、前記他の情報処理装置に対して電力を供給するための第２のコネクタと、
前記第１のコネクタより供給される電力の電圧値と、前記第２のコネクタより供給される電力の電圧値とを比較する第１の比較手段と、
前記第１の比較手段による比較の結果に従って、前記第１のコネクタより供給される電圧と前記第２のコネクタより供給される電圧とのうちの何れか一方の電力を内部で使用するように制御する制御手段と、
前記第１のコネクタより供給される電力が前記第２のコネクタより供給される電力より高い場合、高い電圧をもつと判定された電力を前記第２のコネクタを介して前記前記他の情報処理装置に対して供給する電力供給手段とを有することを特徴とする情報処理装置。
【請求項２】
前記第１の比較手段による比較の結果、前記第１のコネクタより供給される電力の電圧値が、前記第２のコネクタより前記他の情報処理装置から供給される電力の電圧値より高いと判定された場合、前記他の情報処理装置に対して電力の供給を停止するよう要求する要求手段を更に有し、
前記電力供給手段は、前記第１のコネクタより供給される電力の電圧値が、前記第２のコネクタより前記他の情報処理装置から供給される電力の電圧値より高いと判定された場合、前記第１のコネクタより供給される電力を前記他の情報処理装置に対して供給することを特徴とする請求項１に記載の情報処理装置。
【請求項３】
前記情報処理装置の内部で電力が使用されることによる電圧降下値を判定する判定手段と、
前記制御手段による制御によって内部で使用される電力の電圧値から前記判定手段により判定された電圧値を減じた値と、内部で使用されない電力の電圧値とを比較する第２の比較手段とを更に有し、
前記電力供給手段は、前記第２の比較手段による比較の結果に基づいて、内部で使用される電力と、内部で使用されない電力との何れか一方の電力を前記他の情報処理装置に対して供給することを特徴とする請求項１に記載の情報処理装置。
【請求項４】
前記第２の比較手段による比較の結果、内部で使用される電力の電圧値から前記判定手段により判定された電圧降下値を減じた値が、内部で使用されない電力の電圧値より低い場合、前記電力供給手段は、内部で使用されていない電力を、内部の電力消費系統を介さずに前記他の情報処理装置に対して供給することを特徴とする請求項３に記載の情報処理装置。
【請求項５】
第１の情報処理装置であって、
第２の情報処理装置から電力の供給を受けるとともに、前記第２の情報処理装置に対して電力を供給するための第１のコネクタと、
第３の情報処理装置から電力の供給を受けるとともに、前記第３の情報処理装置に対して電力を供給するための第２のコネクタと、
前記第１のコネクタより供給される電力の電圧値と、前記第２のコネクタより供給される電力の電圧値とを比較する第１の比較手段と、
前記第１の比較手段による比較の結果に従って、前記第１のコネクタより供給される電圧と前記第２のコネクタより供給される電圧とのうちの何れか一方の電力を内部で使用するように制御する制御手段と、
前記第１の比較手段による比較の結果に従って、前記第１のコネクタより供給される電力を前記第３の情報処理装置に対して供給するか、又は、前記第２のコネクタより供給される電力を前記第３の情報処理装置に対して供給する電力供給手段とを有することを特徴とする第１の情報処理装置。
【請求項６】
前記制御手段による制御によって内部で使用されている電力の電圧値と内部で使用されていない電力の電圧値とを比較する第２の比較手段と、
前記電力供給手段は、前記第２の比較手段による比較の結果、内部で使用されている電力の電圧値より内部で使用されていない電力の電圧値が所定値以上に高い場合、内部で使用されていない電力を供給している情報処理装置に対して電力の供給を停止するよう要求する要求手段とを更に有し、
前記電力供給手段は、電力の供給が停止された前記情報処理装置に対して電力の供給を開始することを特徴とする請求項５に記載の第１の情報処理装置。
【請求項７】
前記第２の比較手段は、内部で使用されていない電力の電圧値として、内部での電圧降下値を加味した値を用いて比較を行うことを特徴とする請求項６に記載の第１の情報処理装置。
【請求項８】
電源から電力の供給を受けるための第１のコネクタと、他の情報処理装置から電力の供給を受けるとともに、前記他の情報処理装置に対して電力を供給するための第２のコネクタとを有する情報処理装置の制御方法であって、
前記第１のコネクタより供給される電力の電圧値と、前記第２のコネクタより供給される電力の電圧値とを比較する比較ステップと、
前記比較ステップによる比較の結果に従って、前記第１のコネクタより供給される電圧と前記第２のコネクタより供給される電圧とのうちの何れか一方の電力を内部で使用するように制御する制御ステップと、
前記第１のコネクタより供給される電力が前記第２のコネクタより供給される電力より高い場合、高い電圧をもつと判定された電力を前記第２のコネクタを介して前記前記他の情報処理装置に対して供給する電力供給ステップとを含むことを特徴とする情報処理装置の制御方法。
【請求項９】
第２の情報処理装置から電力の供給を受けるとともに、前記第２の情報処理装置に対して電力を供給するための第１のコネクタと、第３の情報処理装置から電力の供給を受けるとともに、前記第３の情報処理装置に対して電力を供給するための第２のコネクタとを有する第１の情報処理装置の制御方法であって、
前記第１のコネクタより供給される電力の電圧値と、前記第２のコネクタより供給される電力の電圧値とを比較する比較ステップと、
前記比較ステップによる比較の結果に従って、前記第１のコネクタより供給される電圧と前記第２のコネクタより供給される電圧とのうちの何れか一方の電力を内部で使用するように制御する制御ステップと、
前記比較ステップによる比較の結果に従って、前記第１のコネクタより供給される電力を前記第３の情報処理装置に対して供給するか、又は、前記第２のコネクタより供給される電力を前記第３の情報処理装置に対して供給する電力供給ステップとを含むことを特徴とする第１の情報処理装置の制御方法。
【請求項１０】
請求項８又は９に記載の制御方法をコンピュータに実行させるためのプログラム。
【手続補正２】
【補正対象書類名】明細書
【補正対象項目名】発明の名称
【補正方法】変更
【補正の内容】
【発明の名称】情報処理装置、第１の情報処理装置、情報処理装置の制御方法、第１の情報処理装置の制御方法及びプログラム
【手続補正３】
【補正対象書類名】明細書
【補正対象項目名】０００９
【補正方法】変更
【補正の内容】
【０００９】
本発明の情報処理装置は、電源から電力の供給を受けるための第１のコネクタと、他の情報処理装置から電力の供給を受けるとともに、前記他の情報処理装置に対して電力を供給するための第２のコネクタと、前記第１のコネクタより供給される電力の電圧値と、前記第２のコネクタより供給される電力の電圧値とを比較する第１の比較手段と、前記第１の比較手段による比較の結果に従って、前記第１のコネクタより供給される電圧と前記第２のコネクタより供給される電圧とのうちの何れか一方の電力を内部で使用するように制御する制御手段と、前記第１のコネクタより供給される電力が前記第２のコネクタより供給される電力より高い場合、高い電圧をもつと判定された電力を前記第２のコネクタを介して前記前記他の情報処理装置に対して供給する電力供給手段とを有することを特徴とする。
【手続補正４】
【補正対象書類名】明細書
【補正対象項目名】００１０
【補正方法】変更
【補正の内容】
【００１０】
本発明によれば、システム全体として安定した動作を行うことができる。